(57)【要約】【課題】耐摩耗性が高くまた低コストで、文字等の表示をカードに加工可能なカード、カードの製造方法を提供する。【解決手段】カード１は、印刷層１０の下側に積層された透明層２０と、透明層２０の下側に積層された中間層３０とを備え、透明層２０のレーザ加工領域１５を透明層２０が残存するようにレーザ加工することにより、レーザ加工領域１５から透明層２０透明層を介して中間層３０層の上面の色彩が視認可能である。【選択図】図１
2019073031.tif 000002
【特許請求の範囲】
【請求項１】
印刷層と、
前記印刷層の下側に積層された透明層と、
前記透明層の下側に積層された色付シート層と、
レーザ照射により透明層が露出するまで前記印刷層が除去された透明層露出部と、
を備えるカード。
【発明の詳細な説明】
【技術分野】
【０００１】
本発明は、券面に表示を有するカード、カードの製造方法に関するものである。
【背景技術】
【０００２】
従来、カードの所有者の氏名の表記手法として、熱転写方式によるウルトラグラフィック（ＵＧ）があった（例えば特許文献１）。
しかし、従来のウルトラグラフィックは、耐摩耗性能が低く、また、高コストであった。
【先行技術文献】
【特許文献】
【０００３】
【特許文献１】特開２０１０−１０８２３０号公報
【発明の概要】
【発明が解決しようとする課題】
【０００４】
本発明の課題は、耐摩耗性が高くまた低コストで、文字等の表示をカードに加工可能なカード、カードの製造方法を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、印刷層（１０，３１０）と、前記印刷層の下側に積層された透明層（２０，７２０）と、前記透明層の下側に積層された色付シート層（３０，２３０，３３０，３２）と、レーザ照射により透明層が露出するまで前記印刷層が除去された透明層露出部（１５，２１５，３１５Ｇ，４１５Ｇ，６１５Ｇ，７１５，８１５Ｂ，８１５Ｗ）とを備えるカードである。
・第２の発明は、第１の発明のカードにおいて、前記透明層露出部（１５，２１５，３１５Ｇ，４１５Ｇ，６１５Ｇ）は、前記透明層（２０）を透過して前記色付シート層（３０，２３０，３３０）の上面の色彩が視認可能であること、を特徴とするカードである。
・第３の発明は、第１又は第２の発明のカードにおいて、前記透明層は、光回折構造を備え、前記透明層露出部は、前記光回折構造が視認可能であること、を特徴とするカードである。
・第４の発明は、第１の発明のカードにおいて、前記透明層は、レーザ発色層（７２０）であり、前記透明層露出部（７１５，８１５Ｂ）は、前記レーザ発色層がレーザ発色した色彩が視認可能であること、を特徴とするカードである。
・第５の発明は、第４の発明のカードにおいて、前記透明層露出部（８１５）は、前記レーザ発色層（７２０）がレーザ発色した色彩が視認可能なレーザ発色視認範囲（８１５Ｂ）と、前記レーザ発色層がレーザ発色せず、前記レーザ発色視認範囲に連続し、前記レーザ発色層を透過して前記色付シート層の色彩が視認可能な色付シート層視認範囲（８１５Ｗ）とを備えること、を特徴とするカードである。
・第６の発明は、第１から第５までにいずれかの発明のカードにおいて、前記色付シート層（３０，２３０，３３０）は、基材（３２）と、前記基材の上側に設けられ、前記基材とは異なる色彩で印刷された色付シート印刷層（３１，２３１，３３１Ｇ）とを備え、前記色付シート層の上面が視認可能な部分は、前記色付シート印刷層の上面であること、を特徴とするカードである。
・第７の発明は、第６の発明のカードにおいて、前記色付シート層（２３１）は、複数の色彩が印刷されており、前記透明層露出部（２１５Ｇ，２１５Ｓ）において、観察される色彩が異なること、を特徴とするカードである。
・第８の発明は、第１から第７のいずれかの発明のカードにおいて、前記印刷層（３１０）は、絵柄層（１１）と、前記絵柄層よりも下側に積層された色彩印刷層（３１２Ｗ，３１２Ｓ）とを備え、レーザ照射により前記色彩印刷層が露出するまで前記印刷層が除去された色彩印刷層露出部（３１５Ｗ，３１５Ｓ，４１５Ｓ，５１５Ｗ，５１５Ｓ，６１５Ｗ，６１５Ｓ）を備えること、を特徴とするカードである。
・第９の発明は、第８の発明のカードにおいて、カードの上面を見たときに、前記透明層露出部（４１５Ｓ，６１５Ｗ）、前記色彩印刷層露出部（４１５Ｇ，６１５Ｇ）は、連続していること、を特徴とするカードである。
・第１０の発明は、第８又は第９の発明のカードにおいて、前記色彩印刷層は、第１色彩の第１色彩印刷層（３１２Ｗ）と、第１色彩印刷層よりも下側に積層された、前記第１色彩とは異なる色彩である第２色彩の第２色彩印刷層（３１２Ｓ）とを備え、前記色彩印刷層露出部は、レーザ照射により前記第１色彩印刷層が露出するまで前記印刷層が除去された第１色彩印刷層露出部（３１５Ｗ，５１５Ｗ，６１５Ｗ）と、レーザ照射により前記第２色彩印刷層が露出するまで印刷層が除去された第２色彩印刷層露出部（３１５Ｓ，５１５Ｓ，６１５Ｓ）とを備えること、を特徴とするカードである。
・第１１の発明は、第１０の発明のカードにおいて、カードの上面を見たときに、前記第１色彩印刷層露出部（５１５Ｗ，６１５Ｗ）、前記第２色彩印刷層露出部（５１５Ｓ，６１５Ｓ）は、連続していること、を特徴とするカードである。
・第１２の発明は、第１１の発明のカードにおいて、断面形状において、前記第１色彩印刷層露出部（６１５Ｗ）、前記第２色彩印刷層露出部（６１５Ｓ）を形成する凹部は、徐々に深さが変化すること、を特徴とするカードである。
・第１３の発明は、第１から第１２のいずれかの発明のカードにおいて、前記印刷層（１０，３１０）は、絵柄層（１１）と、前記絵柄層の下側に積層され、シルク印刷により設けられ、前記印刷層及び前記透明層（２０，７２０）の間の接着性を発現する接着層（１２，３１２Ｓ）とを備えること、を特徴とするカードである。
・第１４の発明は、第１３の発明のカードにおいて、カードの上面を見たときに、前記接着層（１２，３１２Ｓ）は、前記カードの内部構成が視認できないように隠蔽する隠蔽層を兼用すること、を特徴とするカードである。
・第１５の発明は、第１から第１４のいずれかの発明のカードにおいて、前記色付シート層（３０，２３０，３３０）の上面の色彩は、金系又は銀系であること、を特徴とするカードである。
・第１６の発明は、第１から第１５のいずれかの発明のカードの製造方法において、前記印刷層がレーザ照射で除去される前の状態の前記カードを複数配置したシート材を、各カードに個片にする個片工程と、個片化された前記カードに対して、前記印刷層をレーザ照射で除去することにより、前記透明層露出部を形成する透明層露出部形成工程とを備えること、を特徴とするカードの製造方法である。
【発明の効果】
【０００７】
本発明によれば、耐摩耗性が高くまた低コストで、文字等の表示をカードに加工可能なカード、カードの製造方法を提供できる。
【図面の簡単な説明】
【０００８】
【図１】第１実施形態のカード１を券面から見た図、断面図である。
【図２】第１実施形態のカード１の製造工程を説明する断面図である。
【図３】第２実施形態のカード２０１を示す図である。
【図４】第３実施形態のカード３０１を示す図である。
【図５】第４実施形態のカード４０１を示す図である。
【図６】第５実施形態のカード５０１を示す図である。
【図７】第６実施形態のカード６０１を示す図である。
【図８】第７実施形態のカード７０１を示す図である。
【図９】第８実施形態のカード８０１を示す図である。
【発明を実施するための形態】
【０００９】
（実施形態）
以下、図面等を参照して、本発明の実施形態について説明する。
（第１実施形態）
図１は、第１実施形態のカード１を券面から見た図、断面図である。
図１（Ａ）は、カード１を券面から見た図である。
図１（Ｂ）は、カード１の層構成を説明する断面図（図１（Ａ）のＢ−Ｂ断面図）である。
図１（Ｃ）は、図１（Ｂ）の矢印Ｃ部を拡大して示す図である。
実施形態及び図面では、券面（カード上面１ａ）から見た状態のカード１の長手方向を左右方向Ｘ、短手方向を縦方向Ｙとし、また、厚さ方向Ｚという。各図面において、厚さ方向Ｚ等の構成等は、明確に図示するために、適宜大きさを誇張する。
【００１０】
［カード１の構成］
カード１は、リーダライタ等の外部装置との間で通信可能なＩＣカードである。
カード１は、上側Ｚ２から下側Ｚ１に向けて順に、印刷層１０、透明層２０、中間層３０（色付シート層）、モジュール基板４０、中間層５０、透明層６０が積層されている。
【００１１】
印刷層１０は、カード１の最上層に設けられている。
印刷層１０は、上側Ｚ２から下側Ｚ１に向けて順に、絵柄層１１、接着層１２（隠蔽層）が積層され、また、レーザ加工領域１５（透明層露出部）を備える。
絵柄層１１は、カード１の名称等を有する絵柄が印刷された層である。絵柄層１１は、オフセット印刷によって設けられる。
接着層１２は、シルク印刷によってベタで設けられる。接着層１２は、印刷層１０及び透明層２０間を接着する。
また、接着層１２は、以下の機能を有する。
・接着層１２は、絵柄層１１の下面にベタ印刷で設けられているので、絵柄層１１は、所望の色彩を表現しやすい。このため、接着層１２は、絵柄層１１の色合いをよくすることができる。
・接着層１２は、このカード１を印刷層１０側（上側Ｚ２）から観察した状態において、カード１の内部構成が視認できないように隠蔽する。
なお、これらの機能は、接着層１２を、隠蔽力を有するインク、隠蔽力を有する色彩（例えば、銀、白色系）にすると、より有効である。
【００１２】
レーザ加工領域１５は、印刷層１０の一部がレーザ加工によって除去されることにより、透明層６０が露出した領域である。図１では、レーザ加工領域１５の形状は、カード１の所有者の氏名「ＡＢＣＤ  ＥＦＧＨ」の文字の形状である。
【００１３】
透明層２０は、透明な層である。透明層２０は、例えば、ＰＣ（ポリカーボネイト）、ＰＥＴ−Ｇ（グリコール変性ポリエチレンテレフタレート）、ＰＶＣ（塩化ビニル）等の樹脂シートである。
【００１４】
中間層３０は、カード１のコア層である。
中間層３０は、上側Ｚ２から順に、印刷層３１（色付シート印刷層）、基材層３２（基材）が積層されている。
印刷層３１は、基材層３２自体の色彩とは異なる色彩で、基材層３２の上側Ｚ２に印刷されている。印刷層３１は、シルク印刷のベタ印刷によって設けられる。印刷層３１の色彩は、金系又は銀系である。
基材層３２は、中間層３０のコアとなる層である。例えば、ＰＣ、ＰＥＴ−Ｇ、ＰＶＣ等の樹脂シートである。基材層３２自体の色彩は、一般に市場で多く流通している白色系である。このため、基材層３２は、低コストで入手可能である。
【００１５】
モジュール基板４０は、ＩＣチップ４１等の電子部品、アンテナ４２を備える。
ＩＣチップ４１は、半導体集積回路素子である。ＩＣチップ４１は、例えば、カード１の所有者、所有者を認証するための暗証番号等が記憶されている。
【００１６】
アンテナ４２は、外部のリーダライタ（図示せず）と通信を行うループコイル式のアンテナである。アンテナ４２は、モジュール基板４０上面に形成された導体であり、エッチング等の方法により形成される。ＩＣチップ４１は、アンテナ４２を介して、リーダライタとの間で非接触により情報の送受信を行う。
【００１７】
モジュール基板４０は、例えば、ＰＥＴ、ＰＥＮ等の材料から形成される。このため、モジュール基板４０と、中間層３０及び中間層５０とは、熱溶着しにくい。そのため、モジュール基板４０の外形は、他の層の外形よりも一回り小さい。
これにより、モジュール基板４０は、モジュール基板４０よりも外側の周囲４５において、中間層３０及び中間層５０が熱溶着されることにより、カード１内に保持されるようになっている。
【００１８】
中間層５０及び透明層６０は、中間層３０及び透明層２０に、厚さ方向Ｚにおいて、対称の形態であるので、詳細な説明は、省略する。透明層６０の下面又は上面には、カード使用方法等を説明する印刷（図示せず）が設けられている。
なお、透明層６０及び中間層５０間の接着強度を向上するために、透明層６０及び中間層５０のいずれかに接着用のシルク印刷を全面に行ってもよい。
【００１９】
［カード１の外観］
カード１の外観について説明する。
（カード上面１ａ）
図１（Ｃ）に示すように、レーザ加工領域１５は、印刷層１０が除去され、透明層２０が露出した状態になっている。観察者は、カード１を上側Ｚ２から観察すると、レーザ加工領域１５からは、中間層３０の印刷層３１の上面の色彩を視認できる（矢印Ｌ参照）。これにより、観察者は、レーザ加工領域１５を、金色又は銀色の文字として、カード１の所有者の氏名を読み取ることができる。
また、レーザ加工領域１５以外の領域は、絵柄層１１の絵柄を観察できる。
なお、中間層３０の印刷層３１の色彩は、金色又は銀色に限定されず、カード仕様等に応じて、適宜変更可能である。これにより、カード１は、文字色を、所望の色彩にすることができる。
【００２０】
（カード端面１ｂ）
図１（Ｂ）に示すように、カード端面１ｂには、モジュール基板４０以外の層（印刷層１０、透明層２０、中間層３０、中間層５０、透明層６０）が露出している。
中間層３０の基材層３２と、中間層５０の基材層とは、白色系であり、中間層５０、透明層６０が透明であるので、カード端面１ｂは、ほぼ白色であるように観察される。
なお、中間層３０の印刷層３１は、カード端面１ｂに露出しているが、層の厚みが十分に薄い。このため、印刷層３１は、カード端面１ｂに露出していても、目立つことがなく、外観を著しく低下させることはない。
【００２１】
［カード製造方法］
カード１の製造工程について説明する。
図２は、第１実施形態のカード１の製造工程を説明する断面図である。
作業者、製造機械等は、以下の工程に従ってカード１を製造することができる。
なお、実際には、カード製造は、カード１が面方向に複数配置されたシート材（つまり多面付けのシート材）を各カードに個片にすることにより行われる。図２は、簡略して１枚の例を図示する。
【００２２】
（印刷層１０の転写工程）
図２（Ａ）に示すように、予め、レーザ加工領域１５の加工前の状態の印刷層１０が形成されたＰＥＴシート等（図示せず）を、透明層２０上に転写する（矢印Ａ１０参照）。なお、絵柄層１１は、接着性の低いオフセット印刷であるが、接着層１２が接着を発現するので、透明層２０上に積層することができる。
ＰＥＴシート等は、印刷層１０の転写後に、透明層２０から剥離する。
（印刷層３１の印刷工程）
基材層３２の上面の全面に、シルク印刷よって印刷層３１を設けて（矢印Ａ３０参照）、中間層３０を作製する。
（積層工程）
上側Ｚ２から順に、印刷層１０が転写された透明層２０、中間層３０、モジュール基板４０、中間層５０、透明層６０を積層し、積層体１Ａを作製する。
【００２３】
（熱プレス工程）
積層体１Ａを上下から熱プレス板（図示せず）で挟んで、印刷層１０の上面、透明層６０の下面から加熱及び加圧する。
図２（Ｂ）に示すように、これにより、積層体１Ａの層間が熱溶着される。所定のプレス時間が経過したら、積層体１Ａから熱プレス板を離間し、積層体１Ａを取り出す。
（個片工程）
多面付けで形成された積層体１Ａを、抜き型でプレスして個片にする。
【００２４】
（レーザ加工工程（透明層露出部形成工程））
図１に示すように、カード所有者（申し込み者）の氏名が入手できたら、個片化された積層体１Ａをレーザ加工機によってレーザ加工することにより、透明層露出部を形成する。このレーザ加工では、レーザ照射することにより、透明層２０が残存しかつ透明層２０が露出するまで、印刷層１０を除去する。
なお、レーザ加工工程は、カード発行時に行ってもよい。つまり、レーザ加工工程は、カード所有者の固有情報（口座番号、暗証番号等）をＩＣチップ４１に書き込む工程と、一連の工程で行ってもよい。
【００２５】
ここで、レーザ加工時には、印刷層１０が発熱する。この熱は、中間層３０上に透明層２０が設けられているので、中間層３０に伝わりにくい。また、中間層３０の印刷層３１の色彩は、金系又は銀系であるので、熱及びレーザ光を反射する。
このため、カード１は、レーザ加工にともなう中間層３０の損傷を、抑制できる。すなわち、カード１は、透明層２０等により、中間層３０を損傷させることなく、レーザ加工領域１５の全ての印刷層１０を除去できる。
また、レーザ加工の加工条件（レーザの出力、加工時間等）は、レーザ加工領域１５において、印刷層１０を全て除去し、かつ、中間層３０を損傷しないように、調整しなければならない。カード１は、前述したように中間層３０等により熱の影響を受けにくくなるので、この調整の幅が大きくなるため、条件設定が容易である。
なお、透明層２０が厚み０．０５ｍｍ以上であるカード１は、試作によって、中間層３０を損傷なく加工できること、条件設定が容易であることの効果を確認できた。
以上の工程を経て、カード１を製造することができる。
【００２６】
以上説明したように、カード１は、カード券面の文字等の表示を、印刷層１０のレーザ加工領域１５を除去して設ける。このため、摩耗等に起因して、表示が消えてしまうことがない。また、カード１は、文字表示をレーザ加工によって形成できるので、ウルトラグラフィック印字のような転写リボンが不要であり、低コストである。
【００２７】
（第２実施形態）
次に、本発明の第２実施形態について説明する。
なお、第２実施形態の説明及び図面において、前述した第１実施形態と同様の機能を果たす部分には、同一の符号又は末尾（下２桁）に同一の符号を適宜付して、重複する説明を適宜省略する。
図３は、第２実施形態のカード２０１を示す図である。
図３（Ａ）は、カード２０１を券面から見た図、断面図である。
図３（Ｂ）は、図３（Ａ）のＢ−Ｂ断面図である。
なお、第２実施形態以降の構成、図中の符号には、適宜、銀色の関連部分に「Ｓ」、金色の関連部分に「Ｇ」を付す。
【００２８】
カード２０１のレーザ加工領域２１５（透明層露出部）は、氏名領域２１５Ｇ、口座番号領域２１５Ｓを備える。
カード２０１の中間層２３０の印刷層２３１（色付シート印刷層）は、金色に印刷された金色印刷領域２３１Ｇと、銀色に印刷された銀色印刷領域２３１Ｓとを備える。つまり、印刷層２３１には、２つの領域に２色の色彩（複数の色彩）が印刷されて形成されている。
カード上面から見た状態で、氏名領域２１５Ｇは、金色印刷領域２３１Ｇに設けられ、また、口座番号領域２１５Ｓ、銀色印刷領域２３１Ｓに設けられている。
【００２９】
上記構成により、カード上面から観察すると、氏名領域２１５Ｇでは、金色印刷領域２３１Ｇの金色の色彩が観察され、その文字が金色の色彩で観察される。口座番号領域２１５Ｓでは、銀色印刷領域２３１Ｓの銀色の色彩が観察され、その文字が銀色の色彩で観察される。
このように、カード３０１は、レーザ加工領域２１５内において、氏名領域２１５Ｇと、口座番号領域２１５Ｓとで、観察される色彩が異なる。これにより、カード２０１は、デザイン性を向上できる。
【００３０】
なお、印刷層２３１は、金色、銀色に限定されず他の色彩でもよく、また、これら２色に限定されず３色以上であってもよい。また、印刷層２３１は、色が連続的に変化するグラデーション印刷によって形成されていてもよい。この場合には、文字を、色彩が徐々に連続的に変化するように観察することができる。
【００３１】
（第３実施形態）
次に、本発明の第３実施形態について説明する。
なお、第３実施形態以降の説明及び図面において、前述した第１及び第２実施形態と同様の機能を果たす部分には、同一の符号又は末尾（下２桁）に同一の符号を適宜付して、重複する説明を適宜省略する。
図４は、第３実施形態のカード３０１を示す図である。
図４（Ａ）は、カード３０１を券面から見た図、断面図である。
図４（Ｂ）は、図４（Ａ）のＢ−Ｂ断面図である。
第３実施形態以降の構成、図中の符号には、適宜、白色の関連部分に「Ｗ」を付す。
【００３２】
中間層３３０の印刷層３３１Ｇは、基材層３２上に金色に印刷された層である。
また、印刷層３１０は、上側Ｚ２から下側Ｚ１に向けて順に、絵柄層１１、白印刷層３１２Ｗ（第１色彩印刷層）、銀印刷層３１２Ｓ（第２色彩印刷層）を備える。
白印刷層３１２Ｗは、白色（第１色彩）の印刷層である。
銀印刷層３１２Ｓは、白印刷層３１２Ｗとは異なる色彩である銀色（第２色彩）の印刷層である。銀印刷層３１２Ｓは、第１実施形態の接着層１２と同様に、層間の接着、絵柄層１１の色合いの向上、内部構成の隠蔽等としても機能する層である。
【００３３】
カード３０１のレーザ加工領域は、氏名領域３１５Ｇ（透明層露出部）、口座番号領域３１５Ｗ（第１色彩印刷層露出部）、期限領域３１５Ｓ（第２色彩印刷層露出部）を備える。
これらの領域３１５Ｇ，３１５Ｗ，３１５Ｓは、加工時のレーザ照射の強度（レーザ光自体の強度、レーザ光のドット密度等）が互いに異なっているため、互いに異なる深さに加工されている。
【００３４】
氏名領域３１５Ｇは、レーザ照射によって印刷層３１０の全体が除去され、つまり、カード上面から見たときに透明層２０が露出するまで印刷層３１０が除去された部分である。
口座番号領域３１５Ｗは、レーザ照射によって絵柄層１１が除去され、つまり、カード上面から見たときに白印刷層３１２Ｗが露出するまで、印刷層３１０が除去された部分である。
期限領域３１５Ｓは、レーザ照射によって絵柄層１１及び白印刷層３１２Ｗが除去され、つまり、カード上面から見たときに銀印刷層３１２Ｓが露出するまで印刷層３１０が除去された部分である。
【００３５】
上記構成により、カード上面から観察すると、氏名領域３１５Ｇでは、第２実施形態と同様に、印刷層３３１Ｇの金色の色彩が観察され、その文字が金色の色彩で観察される。また、口座番号領域３１５Ｗでは、白印刷層３１２Ｗの白色の色彩が観察され、その文字が白色の色彩で観察される。期限領域３１５Ｓでは、銀印刷層３１２Ｓの色彩が観察され、その文字が銀色の色彩で観察される。
このように、レーザ加工領域３１５の各領域３１５Ｇ，３１５Ｗ，３１５Ｓは、観察される色彩が互いに異なる。これにより、カード３０１は、デザイン性を向上できる。
【００３６】
なお、白印刷層３１２Ｗ、銀印刷層３１２Ｓの印刷方法は、シルク印刷に限定されず、他の印刷方法であってもよい。
例えば、白印刷層３１２Ｗは、オフセット印刷層であり、銀印刷層３１２Ｓは、一般的にオフセット印刷よりも塗膜の厚いシルク印刷層であってもよい。一般的に、シルク印刷層は、オフセット印刷層よりも、レーザ照射によって除去されにくく、つまり、レーザ照射よる焼散、ガス化による消失等がされにくい。このため、オフセット印刷層である白印刷層３１２Ｗを除去するレーザ照射時において、シルク印刷層である銀印刷層３１２Ｓまで除去してしまうことを抑制できるので、加工性がよい。
【００３７】
また、絵柄層１１及び白印刷層３１２Ｗの間には、絵柄層１１の色合いの向上のために、隠蔽力を有する銀色等の隠蔽層を設けてもよい。この場合には、口座番号領域３１５Ｗでは、絵柄層１１に加えてこの隠蔽層を除去することにより、白印刷層３１２Ｗを露出させればよい。
【００３８】
さらに、印刷層３１０の色彩印刷層は、２色に限定されず、３層以上を積層することにより、３色以上を表現してもよい。この場合には、例えば、３原色（イエロ、マゼンダ、シアン等）の３層を設けて、レーザ照射によるドッド加工によってこれらの層を選択的に観察可能することにより、様々な色彩を表現してもよい。この場合にも、各層間に隠蔽層を設けてもよい。
【００３９】
（第４実施形態）
次に、本発明の第４実施形態について説明する。
なお、第４実施形態の説明及び図面において、前述した第３実施形態と同様の機能を果たす部分には、同一の符号又は末尾（下２桁）に同一の符号を適宜付して、重複する説明を適宜省略する。
図５は、第４実施形態のカード４０１を示す図である。
図５（Ａ）は、氏名領域４１５ａの氏名「ＡＢＣＤ  ＥＦＧＨ」（図４（Ａ）参照）の一部である文字「Ａ」を拡大して券面から見た図である。
図５（Ｂ）は、図５（Ａ）のＢ−Ｂ断面図である。
本実施形態のカード４０１の層構成は、第３実施形態と同様であり、レーザ加工領域４１５の氏名領域４１５ａの形態のみが第３実施形態とは異なる。
【００４０】
図５（Ａ）に示すように、氏名領域４１５ａの文字「Ａ」は、縁取りをされたように観察される。カード上面を見たときに、文字「Ａ」の内部４１５Ｇ（透明層露出部）と、その縁部４１５Ｓ（色彩印刷層露出部）とは、連続している。
図５（Ｂ）に示すように、内部４１５Ｇ、縁部４１５Ｓは、１つの凹部によって形成される。但し、内部４１５Ｇと、その縁部４１５Ｓとでは、底部の深さが異なる。このように底部の深さが異なる加工は、第３実施形態と同様に、レーザ照射の強度を両者で異なるようにすればよい。
【００４１】
内部４１５Ｇは、前述した第３実施形態の氏名領域３１５Ｇ（図４参照）と同様な形態である。このため、カード上面から内部４１５Ｇを観察すると、透明層２０が露出している。
縁部４１５Ｓは、第３実施形態の期限領域３１５Ｓ（図４参照）と同様な形態である。このため、カード上面から縁部４１５Ｓを観察すると、銀印刷層３１２Ｓが露出している。
このため、文字「Ａ」は、内部４１５Ｇでは透明層２０を通して印刷層３３１Ｇの金色の文字として観察され、また、縁部４１５Ｓでは銀印刷層３１２Ｓの銀色によって印刷層３３１Ｇの金色の文字を縁取りしたように観察される。
氏名領域４１５ａの他の文字も同様である。これにより、カード４０１は、氏名領域４１５ａを、エンボス加工のように、立体的に見せることができる。また、カード４０１は、デザイン性を向上できる。
【００４２】
（第５実施形態）
次に、本発明の第５実施形態について説明する。
なお、第５実施形態の説明及び図面において、前述した第３実施形態と同様の機能を果たす部分には、同一の符号又は末尾（下２桁）に同一の符号を適宜付して、重複する説明を適宜省略する。
図６は、第５実施形態のカード５０１を示す図である。
図６（Ａ）は、期限領域５１５ａの「１１／１７」（図４（Ａ）参照）の一部である文字「１１」を拡大して券面から見た図である。
図６（Ｂ）は、図６（Ａ）のＢ−Ｂ断面図である。
本実施形態のカード５０１の層構成は、第３実施形態と同様であり、レーザ加工領域５１５の期限領域５１５ａの形態のみが第３実施形態とは異なる。
【００４３】
図６（Ａ）に示すように、期限領域５１５ａの文字「１」は、縁取りをされたように観察される。カード上面を見たときに、文字「１」の内部５１５Ｓ（第２色彩印刷層露出部）と、その縁部５１５Ｗ（第１色彩印刷層露出部）とは、連続している。
図６（Ｂ）に示すように、文字「１」の内部５１５Ｓ、縁部５１５Ｗは、１つの凹部によって形成される。但し、内部５１５Ｓと、その縁部５１５Ｗとでは、底部の深さが異なる。このように文字「１」の凹部の深さの異なる加工は、第３実施形態と同様に、レーザ照射の強度を互いに異なるようにすればよい。
【００４４】
内部５１５Ｓは、第３実施形態の期限領域３１５Ｓと同様な形態である。このため、カード上面から内部５１５Ｓを観察すると、銀印刷層３１２Ｓ（第２色彩印刷層）が露出している。
縁部５１５Ｗは、第３実施形態の口座番号領域３１５Ｗと同様な形態である。このため、カード上面から縁部５１５Ｗを観察すると、白印刷層３１２Ｗ（第１色彩印刷層）が露出している。
このため、文字「１」は、内部５１５Ｓでは銀印刷層３１２Ｓの銀色（第２色彩）の文字として観察され、また、縁部５１５Ｗでは白印刷層３１２Ｗの白色（第１色彩）によって銀印刷層３１２Ｓの銀色の文字を縁取りしたように観察される。期限領域５１５ａの他の文字も同様である。このため、カード５０１は、期限領域５１５ａを、第４実施形態と同様に、エンボス加工のように、立体的に見せることができる。また、カード５０１は、デザイン性を向上できる。
【００４５】
（第６実施形態）
次に、本発明の第６実施形態について説明する。
なお、第６実施形態の説明及び図面において、前述した第３実施形態と同様の機能を果たす部分には、同一の符号又は末尾（下２桁）に同一の符号を適宜付して、重複する説明を適宜省略する。
図７は、第６実施形態のカード６０１を示す図である。
図７（Ａ）は、カード６０１を券面から見た図、断面図である。
図７（Ｂ）は、図７（Ａ）のＢ−Ｂ断面図である。
本実施形態のカード６０１の層構成は、第３実施形態と同様である。カード６０１は、第３実施形態に対して、レーザ加工領域６１５のマーク領域６１５ａを、新たに設けたものである。
【００４６】
図７（Ａ）に示すように、マーク領域６１５ａの外形は、カード上面から見た形状が楕円である。
マーク領域６１５ａは、外側から中心に向けて、外領域６１５Ｗ（第１色彩印刷層露出部）、中間領域６１５Ｓ（第２色彩印刷層露出部）、内領域６１５Ｇを備える。
外領域６１５Ｗ及び中間領域６１５Ｓは、連続しており、また、中間領域６１５Ｓ及び内領域６１５Ｇは、連続している。
【００４７】
図７（Ｂ）に示すように、マーク領域６１５ａは、１つの凹部によって形成される。断面形状において、外領域６１５Ｗ、中間領域６１５Ｓの深さは、内側に至るに従って、徐々に深くなるように変化する。深さは、直線的に変化する。このような深さの加工は、レーザ照射の強度を、内側に至るに従って、強くなるようにすればよい。
内領域６１５Ｇは、氏名領域３１５Ｇと同様に、レーザ照射によって、透明層６０が露出するまで印刷層３０が除去されている。
【００４８】
外領域６１５Ｗは、口座番号領域３１５Ｗと同様な形態である。このため、カード上面から外領域６１５Ｗを観察すると、白印刷層３１２Ｗ（第１色彩印刷層）が露出している。
中間領域６１５Ｓは、期限領域３１５Ｓと同様な形態である。このため、カード上面から中間領域６１５Ｓを観察すると、銀印刷層３１２Ｓ（第２色彩印刷層）が露出している。
内領域６１５Ｇは、前述したように、透明層６０が露出している。
【００４９】
上記構成により、カード上面からマーク領域６１５ａを観察すると、外領域６１５Ｗでは白印刷層３１２Ｗの白色が観察され、中間領域６１５Ｓでは銀印刷層３１２Ｓの銀色が観察され、内領域６１５Ｇでは印刷層３３１Ｇの金色が観察される。これにより、カード３０１は、デザイン性を向上できる。
【００５０】
なお、外領域６１５Ｗ、中間領域６１５Ｓの底部の断面形状は、直線的に変化する形態に限定されず、例えば湾曲していてもよい。この形態では、外領域６１５Ｗの白印刷層３１２Ｗの白色、中間領域６１５Ｓの銀印刷層３１２Ｓの銀色が、複雑に変化するので、複雑な模様を表現できる。この形態の加工は、白印刷層３１２Ｗ、銀印刷層３１２Ｓの耐レーザ照射性能に応じて、レーザ照射の強度を複雑に変化させる必要があるため、カード製造メーカ以外は、同様な模様を再現することが困難である。このため、この形態では、偽造抑制効果を向上できる。
【００５１】
（第７実施形態）
次に、本発明の第７実施形態について説明する。
なお、第７実施形態の説明及び図面において、前述した第１実施形態と同様の機能を果たす部分には、同一の符号又は末尾（下２桁）に同一の符号を適宜付して、重複する説明を適宜省略する。
図８は、第７実施形態のカード７０１を示す図である。
図８（Ａ）は、カード７０１を券面から見た図、断面図である。
図８（Ｂ）は、図８（Ａ）のＢ−Ｂ断面図である。
カード７０１は、基材積層体７３０上に、印刷層１０を積層したものである。
【００５２】
基材積層体７３０は、基材層３２の上面、下面にそれぞれレーザ発色層７２０，７２１が積層されたものである。
基材積層体７３０は、レーザ発色層７２０、基材層３２、レーザ発色層７２１が既に積層されたシート材を、市場から購入してもよい。このようなシート材は、押し出し成型によって製造可能であり、市場で流通している。又は、基材積層体７３０は、カード製造時の熱プレス工程（図２参照）によって、これら各層を熱溶着してもよい。
【００５３】
基材層３２の上側の層構成は、上側Ｚ２から下側Ｚ１に向けて順に、絵柄層１１、接着層１２、レーザ発色層７２０、基材層３２が積層される。この層構成は、第１実施形態から印刷層３１を取り除き、また、透明層としてレーザ発色層７２０を積層した構成と同様である。
【００５４】
レーザ発色層７２０は、透光性を有し、無色、透明である。レーザ発色層７２０は、レーザ光によって発色する発色剤を含有している。このため、レーザ発色層７２０のうちレーザ光が照射された範囲は、発熱し、また黒色に発色する。
図８（Ｂ）に示すように、このため、レーザ加工領域７１５では、印刷層１０は、除去され、また、レーザ発色層７２０は、第１実施形態と同様なレーザ加工工程（透明層露出部形成工程）によって黒色に発色する。
【００５５】
上記構成により、カード上面から観察すると、レーザ加工領域７１５の氏名「ＡＢＣＤ  ＥＦＧＨ」の文字の形状が、黒色に観察される。
【００５６】
なお、本実施形態のカード７０１は、以下のように変形してもよい。
（１）レーザ加工領域７１５でのレーザ照射は、印刷層１０を除去し、かつ、レーザ発色層７２０を黒色に発色しない程度に、行ってもよい。この形態では、レーザ加工領域７１５のレーザ発色層７２０は、透明な状態であるので、レーザ加工領域７１５では、第１実施形態と同様にレーザ発色層７２０よりも下側の層が観察される。このため、レーザ加工領域７１５の氏名は、基材層３２の白文字で観察できる。
また、この形態では、レーザ照射の強度を調整することにより、レーザ加工領域７１５のレーザ発色層７２０を、完全な黒色に発色しない状態にしてもよい。この場合には、レーザ加工領域７１５の氏名は、黒色と、基材層３２の白色との中間色である灰色の文字で観察できる。
さらに、この形態では、レーザ発色層７２０及び基材層３２との間に、第１実施形態の印刷層３１と同様な印刷層を設ければ、レーザ加工領域７１５の氏名は、その印刷層の色彩で観察できる。
（２）本実施形態のカード７０１は、第１実施形態と同様に、モジュール基板を設けてもよい。
また、基材積層体７３０のレーザ発色層７２１よりも下側にも、印刷層（絵柄層１１、接着層１２）や他の層を積層してもよい。
【００５７】
（３）本実施形態のカード７０１は、第２から第６実施形態と同様に変形してもよい。この場合にも、第２から第６実施形態に対応した作用、効果を奏する。なお、本実施形態のカード７０１に、第２から第６実施形態と同様に変形した上で、上記（１）、（２）の変形を行ってもよい。
【００５８】
（第８実施形態）
次に、本発明の第８実施形態について説明する。
なお、第８実施形態の説明及び図面において、前述した第７実施形態と同様の機能を果たす部分には、同一の符号又は末尾（下２桁）に同一の符号を適宜付して、重複する説明を適宜省略する。
図９は、第８実施形態のカード８０１を示す図である。
図９（Ａ）は、レーザ加工領域８１５の氏名「ＡＢＣＤ  ＥＦＧＨ」（図８（Ａ）参照）の一部である文字「Ａ」を拡大して券面から見た図である。
図９（Ｂ）は、図９（Ａ）のＢ−Ｂ断面図である。
本実施形態のカード８０１の層構成は、第７実施形態と同様であり、レーザ加工領域８１５（透明層露出部）の形態のみが第７実施形態とは異なる。
【００５９】
図９（Ａ）に示すように、レーザ加工領域８１５の文字「Ａ」は、内部８１５Ｗ（色付シート層視認範囲）、縁部８１５Ｂ（レーザ発色視認範囲）を備える。
縁部８１５Ｂは、内部８１５Ｗの外側を縁取るような形態で、内部８１５Ｗに連続している。
【００６０】
内部８１５Ｗは、レーザ発色層７２０がレーザ発色しない範囲である。
縁部８１５Ｂは、レーザ発色層７２０がレーザ発色した範囲である。
内部８１５Ｗ、縁部８１５Ｂでは、加工時のレーザ照射の強度（レーザ光自体の強度、レーザ光のドット密度等）が互いに異なっている。すなわち、レーザ照射の強度は、内部８１５Ｗでは、印刷層１０を除去しかつレーザ発色層７２０が発色しない程度であり、一方、縁部８１５Ｂでは、印刷層１０を除去しかつレーザ発色層７２０が発色する程度（つまり、内部８１５Ｗよりもレーザ照射の強度が強い）である。
【００６１】
上記構成により、カード上面から観察すると、内部８１５Ｗでは、レーザ発色層７２０を透過して基材層３２（色付シート層）の白色系の色彩が視認可能であり、一方、縁部８１５Ｂでは、レーザ発色層７２０がレーザ発色した黒色の色彩が視認可能である。レーザ加工領域８１５の他の文字も同様である。このため、カード８０１は、レーザ加工領域８１５の他の文字を、エンボス加工のように、立体的に見せることができる。また、カード５０１は、デザイン性を向上できる。
【００６２】
なお、本実施形態のカード８０１は、以下のように変形してもよい。
（１）基材積層体７３０は、第２実施形態の印刷層２３１と同様な印刷層（色付シート印刷層）を備えてもよい。この場合には、内部８１５Ｗでは、その印刷層の色彩を観察できる。
（２）第７実施形態の（１）から（３）の変形は、カード８０１に対しても、同様に適用できる。
【００６３】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６４】
（変形形態）
（１）実施形態の中間層の印刷層は、設けなくてもよい。この場合には、基材自体の色彩を、レーザ加工領域から透明層を介して視認することができる。
【００６５】
（２）実施形態のモジュール基板は、設けなくてもよい。この場合には、２つの中間層を、１つの中間層にすることができるので、簡単な構成にすることができる。また、カードは、例えば、磁気ストライプ、バーコード等を有するタイプでもよい。
【００６６】
（３）実施形態において、絵柄層は、最上層である例を示したがこれに限定されない。絵柄層よりも上側には、透明な保護層等を設けてもよい。この場合には、レーザ加工領域の保護層等は、レーザ照射により除去すればよい。
【符号の説明】
【００６７】
１，２０１，３０１，４０１，５０１，６０１，７０１…カード
１０，３１０…印刷層
１１…絵柄層
１２…接着層
１５，２１５，３１５，５１５，６１５，７１５，８１５…レーザ加工領域
２０…透明層
３０，２３０，３３０…中間層
３１，２３１…印刷層
３２…基材層
２１５Ｇ…氏名領域
２１５Ｓ…口座番号領域
２３１Ｇ…金色印刷領域
２３１Ｓ…銀色印刷領域
３１２Ｓ…銀印刷層
３１２Ｗ…白印刷層
３１５Ｇ…氏名領域
３１５Ｓ…期限領域
３１５Ｗ…口座番号領域
４１５Ｇ…内部
４１５Ｓ…縁部
４１５ａ…氏名領域
５１５Ｓ…内部
５１５Ｗ…縁部
５１５ａ…期限領域
６１５Ｇ…内領域
６１５Ｓ…中間領域
６１５Ｗ…外領域
６１５ａ…マーク領域
７２０…レーザ発色層
８１５Ｂ…縁部
８１５Ｗ…内部
【図１】
2019073031.tif 000003
【図２】
2019073031.tif 000004
【図３】
2019073031.tif 000005
【図４】
2019073031.tif 000006
【図５】
2019073031.tif 000007
【図６】
2019073031.tif 000008
【図７】
2019073031.tif 000009
【図８】
2019073031.tif 000010
【図９】
2019073031.tif 000011
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
印刷層と、
前記印刷層の下側に積層された透明層と、
前記透明層の下側に積層された色付シート層と、
レーザ照射により透明層が露出するまで前記印刷層が除去された透明層露出部と、
を備え、
前記透明層の厚みは、０．０５ｍｍ以上であること、
を特徴とするカード。
【請求項２】
印刷層と、
前記印刷層の下側に積層された透明層と、
前記透明層の下側に積層された色付シート層と、
レーザ照射により透明層が露出するまで前記印刷層が除去された透明層露出部と、
を備え、
前記色付シート層は、色付シート印刷層と基材層とを有し、前記透明層及び前記基材層の間の接着性を発現すること、
を特徴とするカード。
【請求項３】
請求項１又は請求項２に記載のカードにおいて、
前記透明層露出部は、前記透明層を透過して前記色付シート層の上面の色彩が視認可能であること、
を特徴とするカード。
【請求項４】
請求項１から請求項３までのいずれかに記載のカードにおいて、
前記透明層は、レーザ発色層であり、
前記透明層露出部は、前記レーザ発色層がレーザ発色した色彩が視認可能であること、
を特徴とするカード。
【請求項５】
請求項１から請求項４までのいずれかに記載のカードにおいて、
前記透明層露出部は、
前記レーザ発色層がレーザ発色した色彩が視認可能なレーザ発色視認範囲と、
前記レーザ発色層がレーザ発色せず、前記レーザ発色視認範囲に連続し、前記レーザ発色層を透過して前記色付シート層の色彩が視認可能な色付シート層視認範囲とを備えること、
を特徴とするカード。
【請求項６】
請求項１から請求項５までのいずれかに記載のカードにおいて、
前記色付シート層は、
基材と、
前記基材の上側に設けられ、前記基材とは異なる色彩で印刷された色付シート印刷層とを備え、
前記色付シート層の上面が視認可能な部分は、前記色付シート印刷層の上面であること、
を特徴とするカード。
【請求項７】
請求項６に記載のカードにおいて、
前記色付シート層は、
複数の色彩が印刷されており、
前記透明層露出部において、観察される色彩が異なること、
を特徴とするカード。
【請求項８】
請求項１から請求項７までのいずれかに記載のカードにおいて、
前記印刷層は、
絵柄層と、
前記絵柄層よりも下側に積層された色彩印刷層とを備え、
レーザ照射により前記色彩印刷層が露出するまで前記印刷層が除去された色彩印刷層露出部を備えること、
を特徴とするカード。
【請求項９】
請求項８に記載のカードにおいて、
カードの上面を見たときに、前記透明層露出部、前記色彩印刷層露出部は、連続していること、
を特徴とするカード。
【請求項１０】
請求項８又は請求項９に記載のカードにおいて、
前記色彩印刷層は、
第１色彩の第１色彩印刷層と、
第１色彩印刷層よりも下側に積層された、前記第１色彩とは異なる色彩である第２色彩の第２色彩印刷層とを備え、
前記色彩印刷層露出部は、
レーザ照射により前記第１色彩印刷層が露出するまで前記印刷層が除去された第１色彩印刷層露出部と、
レーザ照射により前記第２色彩印刷層が露出するまで印刷層が除去された第２色彩印刷層露出部とを備えること、
を特徴とするカード。
【請求項１１】
請求項１０に記載のカードにおいて、
カードの上面を見たときに、前記第１色彩印刷層露出部、前記第２色彩印刷層露出部は、連続していること、
を特徴とするカード。
【請求項１２】
請求項１１に記載のカードにおいて、
断面形状において、前記第１色彩印刷層露出部、前記第２色彩印刷層露出部を形成する凹部は、徐々に深さが変化すること、
を特徴とするカード。
【請求項１３】
請求項１から請求項１２までのいずれかに記載のカードにおいて、
前記印刷層は、
絵柄層と、
前記絵柄層の下側に積層され、シルク印刷により設けられ、前記印刷層及び前記透明層の間の接着性を発現する接着層とを備えること、
を特徴とするカード。
【請求項１４】
請求項１３に記載のカードにおいて、
カードの上面を見たときに、前記接着層は、前記カードの内部構成が視認できないように隠蔽する隠蔽層を兼用すること、
を特徴とするカード。
【請求項１５】
請求項１から請求項１４のいずれかに記載のカードにおいて、
前記色付シート層の上面の色彩は、金系又は銀系であること、
を特徴とするカード。
【請求項１６】
請求項１から請求項１５までのいずれかに記載のカードの製造方法において、
前記印刷層がレーザ照射で除去される前の状態の前記カードを複数配置したシート材を、各カードに個片にする個片工程と、
個片化された前記カードに対して、前記印刷層をレーザ照射で除去することにより、前記透明層露出部を形成する透明層露出部形成工程とを備えること、
を特徴とするカードの製造方法。
【請求項１７】
印刷層と、
前記印刷層の下側に積層された透明層と、
前記透明層の下側に積層された色付シート層と、
を備える多面付けシート。
【請求項１８】
請求項１７に記載の多面付けシートにおいて、
前記透明層は、レーザ発色層であること、
を特徴とする多面付けシート。